(57)【要約】【課題】コンテンツデータの転送を効率的に行うことができる転送管理装置を実現する。【解決手段】本発明に係る録画再生装置１は、シリーズコンテンツデータが属する番組に応じて、コンテンツデータの設定情報３１を設定する設定情報生成部１５を備えており、この設定情報生成部１５が、管理テーブル３０に、この設定情報３１を対応付けている。このため、シリーズコンテンツデータを、番組ごとに管理し転送させることができ、シリーズコンテンツデータの転送を効率的に行うことができる。【選択図】図１
2008071386.tif 000002
【特許請求の範囲】
【請求項１】
コンテンツデータの転送を管理する転送管理装置において、
同一のコンテンツデータ群に属するコンテンツデータを特定する特定情報に応じて、コンテンツデータの転送条件を設定する転送条件設定手段を備え、
上記転送条件設定手段が、上記コンテンツデータ群ごとにコンテンツデータそれぞれを管理するための管理情報を記録したテーブル情報に、上記転送条件を対応付けることを特徴とする転送管理装置。
【請求項２】
上記テーブル情報に記録される管理情報には、上記コンテンツデータ群を構成するコンテンツデータそれぞれの再生処理順番を示す順番情報と、上記順番情報ごとに、該順番情報に対応するコンテンツデータの転送状態を示す転送情報と、が対応付けられており、
コンテンツデータが転送済みか否かに応じて上記転送情報を更新する転送情報更新手段をさらに備えることを特徴とする請求項１に記載の転送管理装置。
【請求項３】
転送するコンテンツデータを含むコンテンツデータ群のテーブル情報に応じた転送条件に基づき、該コンテンツデータを転送する転送手段をさらに備えることを特徴とする請求項２に記載の転送管理装置。
【請求項４】
上記転送手段は、上記コンテンツデータ群を構成するコンテンツデータそれぞれを、該コンテンツデータ群のテーブル情報に応じた転送条件に基づき転送することを特徴とする請求項３に記載の転送管理装置。
【請求項５】
上記テーブル情報に記録される管理情報には、さらに上記順番情報ごとに、該順番情報に対応するコンテンツデータの録画状態を示す録画情報が対応付けられており、
上記コンテンツデータが録画済み否かに応じて上記録画情報を更新する録画情報更新手段をさらに備えることを特徴とする請求項３または４に記載の転送管理装置。
【請求項６】
上記テーブル情報における録画情報が、上記録画情報更新手段により録画済みを示すように更新された場合、上記転送手段は、録画済みを示す録画情報が対応付けられた順番情報のコンテンツデータを、該テーブル情報に対応付けられている上記転送条件に応じて転送することを特徴とする請求項５に記載の転送管理装置。
【請求項７】
上記テーブル情報に含まれる上記転送情報に基づき、上記コンテンツデータ群において未転送のコンテンツデータを示す未転送情報を出力する出力手段をさらに備えていることを特徴とする請求項３に記載の転送管理装置。
【請求項８】
コンテンツデータを記憶するコンテンツデータ記憶装置を備え、
上記出力手段は、ユーザからの指示に応じて、上記管理情報を参照して、上記コンテンツデータ記憶装置に記憶しているコンテンツデータを示すコンテンツデータ情報を出力しており、
上記出力手段が、上記コンテンツデータ記憶装置において、同一のコンテンツデータ群に属するコンテンツデータが存在すると判定した場合、該コンテンツデータそれぞれをまとめて示す情報として、該コンテンツデータ群を示す情報をコンテンツデータ情報として出力することを特徴とする請求項７に記載の転送管理装置。
【請求項９】
上記出力手段により出力されたコンテンツデータ情報に応じて、ユーザから、転送を所望するコンテンツデータのコンテンツデータ情報を受け付ける受け付け部をさらに備え、
上記出力手段は、上記受け付け部により受け付けた上記コンテンツデータ情報に応じた転送条件を出力することを特徴とする請求項８に記載の転送管理装置。
【請求項１０】
上記受け付け部により受け付けたコンテンツデータ情報が、コンテンツデータ群を示す情報である場合、上記転送手段が、上記転送条件に応じて、該コンテンツデータ群に属する各コンテンツデータを順次転送することを特徴とする請求項９に記載の転送管理装置。
【請求項１１】
上記転送条件を記憶する転送条件記憶装置を備え、
上記出力手段は、ユーザからの指示に応じて転送条件記憶装置に記憶されている転送条件を出力しており、
上記出力手段により出力された転送条件に応じて、ユーザから、所望する転送条件を上記受け付け部が受け付けた場合、該出力手段は、上記テーブル情報を参照して、受け付けた該転送条件に応じたコンテンツデータ情報を出力することを特徴とする請求項９に記載の転送管理装置。
【請求項１２】
上記出力手段により出力された転送条件に応じて、ユーザから、所望する転送条件を上記受け付け部が受け付けた場合、上記転送手段が、上記テーブル情報を参照して、受け付けた該転送条件に応じたコンテンツデータを転送することを特徴とする請求項１１に記載の転送管理装置。
【請求項１３】
請求項１〜１２のいずれか１項に記載の転送管理装置を動作させるための制御プログラムであって、コンピュータを上記各手段として機能させるための転送管理装置の制御プログラム。
【請求項１４】
請求項１３に記載の転送管理装置の制御プログラムを記録したコンピュータの読取り可能な記録媒体。
【請求項１５】
コンテンツデータの転送を管理する転送管理装置の制御方法において、
同一のコンテンツデータ群に属するコンテンツデータを特定する特定情報に応じて、コンテンツデータの転送条件を設定する転送条件設定手段を備えており、
上記転送条件設定手段が、上記コンテンツデータ群ごとにコンテンツデータそれぞれを管理するための管理情報を記録したテーブル情報に、上記転送条件を対応付けるステップを含むことを特徴とする転送管理装置の制御方法。
【発明の詳細な説明】
【技術分野】
【０００１】
本発明は、コンテンツデータの転送を管理する転送管理装置、転送管理装置の制御方法、転送管理装置の制御プログラム、および転送管理装置の制御プログラムを記録した記録媒体に関するものである。特には、配信されたコンテンツデータを記録媒体に記録したり、記録媒体に記録したコンテンツデータを他の記録媒体に転送したりすることができる転送管理装置に関する。
【背景技術】
【０００２】
近年、ＣＳ（Communication Satellite）放送やＢＳ(Broadcasting Satellite)放送により配信されるコンテンツデータを記録する記録媒体として、従来のビデオテープよりも記録容量が大きいハードディスク（ＨＤＤ）、ＤＶＤ（Digital Versatile Disk）、あるいはＢＤ（Blu-ray Disk）等の光ディスクが活用されるようになった。また、このような記録媒体にコンテンツデータを記録する映像録画再生装置の開発も進んでいる。
【０００３】
例えば、上記した映像録画再生装置として、ＤＶＤにコンテンツデータを記録する映像録画再生装置（ＤＶＤ単体録画再生装置）、あるいはＤＶＤに加えてＨＤＤ等複数の記録媒体にもコンテンツデータを記録できる映像録画再生装置（ＤＶＤ複合録画再生装置）などが挙げられる。また、ＢＤ単体録画再生装置、あるいはＢＤに加えてＨＤＤ等複数の記録媒体にもコンテンツデータを記録できる映像録画再生装置（ＢＤ複合録画再生装置）などの商品化も進んでいる。その他、ＨＤＤ、ＢＤ、ＤＶＤの３つの記録媒体を利用可能とするＢＤＨＤ−１００といった製品も既に商品化されている。
【０００４】
このように大容量の記録媒体に、配信されたコンテンツデータを記録（録画）することができるようになった。
【０００５】
しかしながら、配信されたコンテンツデータを、ハイビジョン画質などの画質を維持したまま記録媒体に録画する場合、録画するデータ量が大容量となる。このため、上記した大容量記録媒体にコンテンツデータを記録する場合であっても録画可能なコンテンツデータのデータ量に制限が生じる。
【０００６】
そこで、複数の記録媒体間でのコピーあるいはムーブ（移動）などの、コンテンツデータのデータ転送に係る技術を利用して、必要なコンテンツデータを必要な画質で適切な記録媒体に保存できるように構成された映像録画再生装置も開発されている。
【０００７】
ところで、配信されるコンテンツデータの中には、１つのコンテンツデータによって１番組を構成するものがある一方、いわゆる連続テレビドラマのように、毎日または毎週など、所定期間に所定分の内容だけ配信され、複数のコンテンツデータによって１番組を構成するものもある。なお、このように１番組を構成する複数のコンテンツデータそれぞれを本明細書ではシリーズコンテンツデータと称する。
【０００８】
このようなシリーズコンテンツを、時間を指定して録画する、いわゆる録画予約を行うことにより、視聴者は、所望する時間に所望する内容を視聴できる。そして、このように録画予約によってシリーズコンテンツを順次録画することにより、記録媒体には放送時ごとにシリーズコンテンツのデータ（シリーズコンテンツデータ）が格納されていくこととなる。このため、録画する番組数が多くなったり、放送回数が多い番組を録画したりした場合、記録媒体に記録されるコンテンツデータの数が増大することとなり、各コンテンツデータの管理が煩雑となる。
【０００９】
そこで、例えば、特許文献１では、コンテンツが録画済みであるか否かを示す録画ステータス情報を、何回目の放送分のコンテンツかを示すエピソード番号ごとに登録するコンテンツ録画再生管理装置が開示されている。この特許文献１に示すコンテンツ録画再生管理装置は、録画した順番に関わらずエピソード番号順に再生順序を並びかえることができシリーズコンテンツの管理を容易とすることができる。
【００１０】
また、録画されたコンテンツに対する編集作業を簡便に行うために、特許文献２では、最初の記録番組に対して作成した基準編集情報を利用して、同一構成を持つ他の記録番組に対して編集作業を行うことができる編集装置が開示されている。
【特許文献１】特開２００４−３４３５２０号公報（２００４年１２月２日公開）
【特許文献２】特開２００４−３２６９５３号公報（２００４年１１月１８日公開）
【発明の開示】
【発明が解決しようとする課題】
【００１１】
しかしながら、上記従来の構成では、録画した上記コンテンツデータを必要な画質で適切な記録媒体に保存するためにデータ転送を実行する場合、このデータ転送に係る処理が煩雑になってしまうという問題が生じる。
【００１２】
具体的には、従来の構成では、データ転送時に手動で転送に係る設定項目などを決定する必要があり、操作が煩雑となる。例えば、ＨＤＤ、ＢＤ、ＤＶＤの３つの記録媒体を扱えるＢＤＨＤ-１００の場合、記録媒体ごとに双方向にデータ転送可能であるため、データ転送の方向を決めるだけでも６パターンある。さらに、これに外部機器などとの例えばｉＬＩＮＫによる接続も含めると、データ転送の方向に関するパターンはかなり多くなり、また、このデータ転送の方向ごとに、録画レートや録画時刻などをその都度設定しなければならない。このため、操作としてはかなり複雑なものになってしまう。
【００１３】
特に、上記したシリーズコンテンツデータによって構成される番組を他の記録媒体に転送する場合、転送元の記録媒体において、転送するシリーズコンテンツデータそれぞれを検索し、転送の設定をそれぞれ行う必要があり、転送に係る操作がより煩雑となる。
【００１４】
本発明は、上記の問題点に鑑みてなされたものであり、その目的は、コンテンツデータの転送を効率的に行うことができる転送管理装置、転送管理装置の制御方法、転送管理装置の制御プログラム、および転送管理装置の制御プログラムを記録した記録媒体を実現することにある。
【課題を解決するための手段】
【００１５】
本発明に係る転送管理装置は、上記した課題を解決するために、コンテンツデータの転送を管理する転送管理装置において、同一のコンテンツデータ群に属するコンテンツデータを特定する特定情報に応じて、コンテンツデータの転送条件を設定する転送条件設定手段を備え、上記転送条件設定手段が、上記コンテンツデータ群ごとにコンテンツデータそれぞれを管理するための管理情報を記録したテーブル情報に、上記転送条件を対応付けることを特徴とする。
【００１６】
上記コンテンツデータとは、デジタルデータで表現された例えば、文章、音楽、画像、映像、またはそれらを組み合わせた情報である。
【００１７】
上記構成によると、転送条件設定手段を備えているため、同一のコンテンツデータ群に属する各コンテンツデータに対しては同じ転送条件を設定することができる。
【００１８】
また、転送条件設定手段は、上記テーブル情報に、上記転送条件を対応付けることができるため、同一のコンテンツデータ群を構成するコンテンツデータごとに管理することができるとともに、管理しているコンテンツデータそれぞれを転送条件設定手段によって設定された転送条件によって転送することができる。
【００１９】
すなわち、本発明に係る転送管理装置は、コンテンツデータを、同一のコンテンツデータ群を構成するデータごとに管理し転送させることができ、コンテンツデータの転送を効率的に行うことができるという効果を奏する。
【００２０】
また、本発明に係る転送管理装置は、上記した構成において、上記テーブル情報に記録される管理情報には、上記コンテンツデータ群を構成するコンテンツデータそれぞれの再生処理順番を示す順番情報と、上記順番情報ごとに、該順番情報に対応するコンテンツデータの転送状態を示す転送情報と、が対応付けられており、コンテンツデータが転送済みか否かに応じて上記転送情報を更新する転送情報更新手段をさらに備えるように構成されていることが好ましい。
【００２１】
上記構成によると、上記転送情報更新手段を備えているため、管理情報にコンテンツデータ群を構成する個別のコンテンツデータごとに転送済みであるか否か等転送状態を記録することができる。このため、本発明に係る転送管理装置は、テーブル情報を参照することにより、同一のコンテンツデータ群を構成するコンテンツデータそれぞれが転送済みであるか否かについて再生処理される順番に応じて把握することができる。したがって、同一のコンテンツデータ群を構成するコンテンツデータを効率的に管理することができる。
【００２２】
また、本発明に係る転送管理装置は、上記した構成において、転送するコンテンツデータを含むコンテンツデータ群のテーブル情報に応じた転送条件に基づき、該コンテンツデータを転送する転送手段をさらに備える構成であってもよい。
【００２３】
上記構成によると、転送手段を備えているため、コンテンツデータを転送する場合、該コンテンツデータを含むコンテンツデータ群のテーブル情報と対応付けられている転送条件に基づき、転送することができる。このため、コンテンツデータの転送時に、転送に係る設定等を逐次行う必要がないためコンテンツデータの転送を効率的に行うことができる。
【００２４】
また、本発明に係る転送管理装置は、上記した構成において、上記転送手段は、上記コンテンツデータ群を構成するコンテンツデータそれぞれを、該コンテンツデータ群のテーブル情報に応じた転送条件に基づき転送するように構成されていてもよい。
【００２５】
上記構成によると、転送手段を備えているため、コンテンツデータ群を構成するコンテンツデータそれぞれを、該コンテンツデータ群のデーブル情報に応じた転送条件に基づき転送することができる。このように、コンテンツデータ群を構成するコンテンツデータそれぞれに対して転送条件をそれぞれ設定する必要がないため、コンテンツデータ、特に同一の群を構成するコンテンツデータそれぞれの転送を効率的に行うことができる。
【００２６】
また、本発明に係る転送装置は、上記した構成において、上記テーブル情報に記録される管理情報には、さらに上記順番情報ごとに、該順番情報に対応するコンテンツデータの録画状態を示す録画情報が対応付けられており、上記コンテンツデータが録画済み否かに応じて上記録画情報を更新する録画情報更新手段をさらに備えるように構成されていてもよい。
【００２７】
上記構成によると、上記録画情報更新手段を備えているため、管理情報に、コンテンツデータ群を構成する個別のコンテンツデータごとに録画済みであるか否か等録画状態を記録することができる。このため、本発明に係る転送管理装置は、テーブル情報を参照することにより、同一の群を構成するコンテンツデータそれぞれが録画済みであるか否かについて再生処理される順番に応じて把握することができる。したがって、同一の群を構成するコンテンツデータを効率的に管理することができる。
【００２８】
また、本発明に係る転送管理装置は、上記した構成において、上記テーブル情報における録画情報が、上記録画情報更新手段により録画済みを示すように更新された場合、上記転送手段は、録画済みを示す録画情報が対応付けられた順番情報のコンテンツデータを、該テーブル情報に対応付けられている上記転送条件に応じて転送する構成であってもよい。
【００２９】
また、本発明に係る転送管理装置は、上記した構成において、上記テーブル情報に含まれる上記転送情報に基づき、上記コンテンツデータ群において未転送のコンテンツデータを示す未転送情報を出力する出力手段をさらに備えていることが好ましい。
【００３０】
上記構成によると、上記出力手段を備えているため、コンテンツデータ群において未転送のコンテンツデータをユーザに通知することができる。このため、ユーザは、コンテンツデータの転送状態を把握することができる。
【００３１】
また、本発明に係る転送管理装置は、上記した構成において、コンテンツデータを記憶するコンテンツデータ記憶装置を備え、上記出力手段は、ユーザからの指示に応じて、上記管理情報を参照して、上記コンテンツデータ記憶装置に記憶しているコンテンツデータを示すコンテンツデータ情報を出力しており、上記出力手段が、上記コンテンツデータ記憶装置において、同一のコンテンツデータ群に属するコンテンツデータが存在すると判定した場合、該コンテンツデータそれぞれをまとめて示す情報として、該コンテンツデータ群を示す情報をコンテンツデータ情報として出力するように構成されていてもよい。
【００３２】
上記構成によると、出力手段によりコンテンツデータ記憶装置に記憶しているコンテンツデータを示すコンテンツデータ情報についてユーザに通知することができる。また、この出力手段は、同一のコンテンツデータ群に属するコンテンツデータの場合、これらが属するコンテンツデータ群を示すコンテンツデータ情報を出力する構成であるため、出力するコンテンツデータ情報の種類を低減させることができる。
【００３３】
したがって、効率よくコンテンツデータ記憶装置に記憶しているコンテンツデータについてユーザに通知することができる。
【００３４】
また、本発明に係る転送管理装置は、上記した構成において、上記出力手段により出力されたコンテンツデータ情報に応じて、ユーザから、転送を所望するコンテンツデータのコンテンツデータ情報を受け付ける受け付け部をさらに備え、上記出力手段は、上記受け付け部により受け付けた上記コンテンツデータ情報に応じた転送条件を出力するように構成されていてもよい。
【００３５】
上記構成によると、上記受け付け部を備え、出力手段が、該受け付け部により受け付けた上記記憶コンテンツ情報に応じた転送条件を出力することができる構成である。このため、転送が所望されたコンテンツデータに設定されている転送条件をユーザに通知することができる。
【００３６】
また、本発明に係る転送管理装置は、上記した構成において、上記受け付け部により受け付けたコンテンツデータ情報が、コンテンツデータ群を示す情報である場合、上記転送手段が、上記転送条件に応じて、該コンテンツデータ群に属する各コンテンツデータを順次転送することが好ましい。
【００３７】
また、本発明に係る転送管理装置は、上記した構成において、上記転送条件を記憶する転送条件記憶装置を備え、上記出力手段は、ユーザからの指示に応じて転送条件記憶装置に記憶されている転送条件を出力しており、上記出力手段により出力された転送条件に応じて、ユーザから、所望する転送条件を上記受け付け部が受け付けた場合、該出力手段は、上記テーブル情報を参照して、受け付けた該転送条件に応じたコンテンツデータ情報を出力する構成であってもよい。
【００３８】
また、本発明に係る転送管理装置は、上記した構成において、上記出力手段により出力された転送条件に応じて、ユーザから、所望する転送条件を上記受け付け部が受け付けた場合、上記転送手段が、上記テーブル情報を参照して、受け付けた該転送条件に応じたコンテンツデータを転送するように構成されていることが好ましい。
【００３９】
なお、上記転送管理装置は、コンピュータによって実現してもよく、この場合には、コンピュータを上記各手段として動作させることにより上記転送管理装置をコンピュータにて実現させる転送管理装置の制御プログラム、およびそれを記録したコンピュータ読み取り可能な記録媒体も、本発明の範疇に入る。
【００４０】
本発明に係る転送装置の制御方法は、上記した課題を解決するために、コンテンツデータの転送を管理する転送管理装置の制御方法において、同一のコンテンツデータ群に属するコンテンツデータを特定する特定情報に応じて、コンテンツデータの転送条件を設定する転送条件設定手段を備えており、上記転送条件設定手段が、上記コンテンツデータ群ごとにコンテンツデータそれぞれを管理するための管理情報を記録したテーブル情報に、上記転送条件を対応付けるステップを含むことを特徴とする。
【００４１】
すなわち、本発明に係る転送管理装置の制御方法は、コンテンツデータを、同一のコンテンツデータ群を構成するデータごとに管理し転送させることができ、コンテンツデータの転送を効率的に行うことができるという効果を奏する。
【発明の効果】
【００４２】
本発明に係る転送管理装置は、以上のように、コンテンツデータの転送を管理する転送管理装置において、同一のコンテンツデータ群に属するコンテンツデータを特定する特定情報に応じて、コンテンツデータの転送条件を設定する転送条件設定手段を備え、上記転送条件設定手段が、上記コンテンツデータ群ごとにコンテンツデータそれぞれを管理するための管理情報を記録したテーブル情報に、上記転送条件を対応付けることを特徴とする。
【００４３】
したがって、本発明に係る転送管理装置は、コンテンツデータを、同一のコンテンツデータ群を構成するデータごとに管理し転送させることができ、コンテンツデータの転送を効率的に行うことができるという効果を奏する。
【００４４】
本発明に係る転送装置の制御方法は、以上のように、コンテンツデータの転送を管理する転送管理装置の制御方法において、同一のコンテンツデータ群に属するコンテンツデータを特定する特定情報に応じて、コンテンツデータの転送条件を設定する転送条件設定手段を備えており、上記転送条件設定手段が、上記コンテンツデータ群ごとにコンテンツデータそれぞれを管理するための管理情報を記録したテーブル情報に、上記転送条件を対応付けるステップを含むことを特徴とする。
【００４５】
すなわち、本発明に係る転送管理装置の制御方法は、コンテンツデータを、同一のコンテンツデータ群を構成するデータごとに管理し転送させることができ、コンテンツデータの転送を効率的に行うことができるという効果を奏する。
【発明を実施するための最良の形態】
【００４６】
本発明の一実施形態について図１ないし図１５に基づいて説明すると以下の通りである。すなわち、図２は、本発明の実施形態を示すものであり、録画再生装置１の概略構成を示すブロック図である。
【００４７】
本実施の形態に係る録画再生装置１は、放送局からＢＳデジタル放送により配信されたコンテンツデータを受信し、受信したコンテンツデータを記録媒体５に録画（記録）したり、該録画したコンテンツデータを他の記録媒体６に転送したりして管理するものである。また録画再生装置１は、録画したコンテンツデータを記録媒体５または記録媒体６から読み出し出力（再生）するものでもある。
【００４８】
なお、上記録画再生装置１が扱うデータは、ＢＳデジタル放送により配信されるコンテンツデータに限定されるものではなく、例えばＣＳデジタル放送または地上波で放送される地上波デジタル放送等のいわゆるデジタル放送などにより配信されたコンテンツデータであってもよい。
【００４９】
また、この配信されたコンテンツデータには、実際に出力処理等に利用されるコンテンツデータに加え、該コンテンツデータの特徴をコンパクトに記述したメタデータである番組付帯情報が多重化されている。すなわち、配信されたコンテンツデータには、映像データ、音声データ、および番組付帯情報それぞれのパケットが含まれており、この番組付帯情報のパケットは、ヘッダ部と番組付帯情報とから構成されている。なお、ＢＳデジタル放送では、上記番組付帯情報として、ＳＩ（Ｓｅｒｖｉｃｅ  Ｉｎｆｏｒｍａｔｉｏｎ）情報を利用する。
【００５０】
（録画再生装置のハードウェア構成）
ここで、本実施の形態に係る録画再生装置１のハードウェア構成について図２を参照して説明する。
【００５１】
本実施の形態に係る録画再生装置１は、図２に示すように、受信部２、操作部３、表示部４、記録媒体５、記録媒体６、主制御部７、管理テーブル記憶装置８、および設定情報記憶装置９を備えてなる構成である。
【００５２】
受信部２は、選局した放送局から、放送番組の映像データまたは音声データであるコンテンツデータを受信するものである。すなわち、受信部２は放送信号を受信し、特定の１つ又は複数の放送局を選択する。そして、受信部２は、選択した放送局から配信される番組の放送信号を本実施の形態に係る録画再生装置１にて利用可能なデータ形式に変換する。
【００５３】
なお、受信部２は、放送局からの放送信号を受信するアンテナ、受信する放送信号を選択するチューナー、および放送信号を前処理するデスクランブラ等により実現できる。
【００５４】
また、受信部２が受信したコンテンツデータには、上記したように番組付帯情報が多重化されている。すなわち、録画再生装置１は、放送局からコンテンツデータ（映像データおよび／または音声データ）のパケットとともに、番組付帯情報のパケットを受信する。そして、上記受信部２は、選曲した放送局から上述のように番組付帯情報が多重化されたコンテンツデータを受信すると、主制御部７に送信する。
【００５５】
操作部３は、ユーザからの指示を受け付けるための入力手段であり、例えば、キーボード、マウス、タブレット（入力パネル）、入力ペン、キー（ボタン）、またはマイクなど、様々な入力手段によって実現することができる。
【００５６】
表示部４は、上記コンテンツデータまたはユーザへの入力指示を促す情報等を主制御部７からの指示に応じて表示させるものである。
【００５７】
記録媒体５および記録媒体６は、読み書き可能な記録媒体であり、例えばＨＤＤ、あるいはＤＶＤ＿Ｒ、ＤＶＤ＿ＲＷ、ＢＤなどの光ディスクである。記録媒体５と記録媒体６とは、両者が同じ種類の記録媒体であってもよいし、一方がＤＶＤ＿Ｒで他方がＢＤなど異なる種類の記録媒体であってもよい。
【００５８】
本実施の形態に係る録画再生装置１では、受信部２にて受信したコンテンツデータを記録媒体５に録画し、該録画したコンテンツデータを適宜、記録媒体６に転送させ、受信したコンテンツデータを記録媒体５と記録媒体６とに分散して記録できるように構成されている。このように複数の記録媒体にコンテンツデータを記録することができるため、録画再生装置１ではより多くのコンテンツデータを保持しておくことができる。
【００５９】
主制御部７は、本実施の形態に係る録画再生装置１が備える各部の各種制御を行うものである。主制御部７は、例えばＣＰＵ等によって実現できる。
【００６０】
管理テーブル記憶装置８および設定情報記憶装置９は、読み書き可能な記録媒体であり、例えばＨＤＤやフラッシュＥＥＰＲＯＭ等によって実現できる。管理テーブル記憶装置８は、受信したコンテンツデータの番組付帯情報に基づき生成される管理テーブル３０を記憶し、設定情報記憶装置９は、コンテンツデータの、記録媒体５から記録媒体６への転送に関する情報である設定情報３１を記録する。なお、管理テーブル記憶装置８が記憶する管理テーブル３０、ならびに設定情報記憶装置９が記憶する設定情報３１それぞれの詳細な説明は後述する。
【００６１】
また、管理テーブル記憶装置８および設定情報記憶装置９は、物理的に別々の記憶装置であってもよいし、管理テーブル３０と設定情報３１とを記憶させる記憶領域を明確に区別できる場合は、物理的に同一の記憶装置であってもよい。
【００６２】
（録画再生装置のソフトウェア構成）
ここで、図１を参照して、コンテンツデータ（シリーズコンテンツデータ）の録画、管理、および出力処理に係る、録画再生装置１のソフトウェア構成について説明する。なお、図１は、本発明の実施形態を示すものであり、録画再生装置１の要部構成を示すブロック図である。なお、この図１において太線の矢印は、コンテンツデータの流れを示し、細線の矢印は、各部間の指示または情報の流れを示している。
【００６３】
主制御部７は、図１に示すように機能ブロックとして、システム制御部１１、番組付帯情報分離部１２、ユーザインタフェース部１３、管理テーブル生成部１４、設定情報生成部１５、データ転送制御部１６、記録再生制御部１７、および出力処理部１８を備えてなる構成である。なお、各機能ブロックは、主制御部７が例えばＣＰＵによって実現される場合、該ＣＰＵが不図示のＲＯＭに記録されたプログラムを不図示のＲＡＭ等に読み出し実行することにより実現することができる。
【００６４】
システム制御部１１は、本実施の形態に係る録画再生装置１全体のシステムの制御を行うものである。より具体的には、システム制御部１１は、例えば受信部２から番組付帯情報が多重化されたコンテンツデータを受信すると、番組付帯情報分離部１２に送信する。また、操作部３によってユーザからの指示情報を受け付けた場合、システム制御部１１は、該指示情報を、ユーザインタフェース部１３を介して受信する。そして、この受信した指示情報に応じて、記録再生制御部１７に対して、コンテンツデータの再生を指示したり、データ転送制御部１６に記録媒体５に記録されているコンテンツデータの、記録媒体６への転送を指示したりする。また、システム制御部１１は、設定情報生成部１５に対して、ユーザにより入力された情報に基づき設定情報３１を生成するように指示したりもする。
【００６５】
番組付帯情報分離部１２は、受信部２より受信した、番組付帯情報が多重化されたコンテンツデータから、該番組付帯情報を、システム制御部１１からの指示に応じて、分離するものである。番組付帯情報分離部１２は、分離した番組付帯情報を管理テーブル生成部１４に送信する一方、映像および／または音声などのコンテンツデータを記録再生制御部１７に送る。
【００６６】
ユーザインタフェース部１３は、上記操作部３とのインタフェースを提供するものであり、操作部３からの操作指示を受信するための入力手段として機能する。ユーザインタフェース部１３は、操作部３から受け付けたユーザからの指示情報をシステム制御部１１に送信する。
【００６７】
管理テーブル生成部１４は、番組付帯情報分離部１２から受信した番組付帯情報から、該番組付帯情報が付されたコンテンツデータの情報（コンテンツ情報）を抽出し、該コンテンツ情報のテーブルである管理テーブル３０を生成するものである。管理テーブル生成部１４は、生成した管理テーブル３０を管理テーブル記憶装置８に記録する。
【００６８】
なお、管理テーブル３０を構成するコンテンツ情報とは、シリーズＩＤ（特定情報）、エピソード番号（順番情報）、総エピソード数、およびコンテンツデータの番組名（特定情報）などであり、該コンテンツ情報は、記録媒体５に録画（記録）したコンテンツデータと対応付けられる。また、シリーズＩＤまたは番組名によりコンテンツデータが属する番組を特定することができる。
【００６９】
また、管理テーブル３０では、番組名ごとに、すなわち、シリーズＩＤごとに、コンテンツ情報が記録されており、管理テーブルの構成は、例えば図３に示すようになる。この図３は、本実施の形態に係る録画再生装置１が保持する管理テーブル３０および設定情報３１の対応関係の一例を示す図である。
【００７０】
すなわち、図３に示す例では管理テーブル３０は、番組名「ドラマＡ」、シリーズＩＤ「１」、総エピソード数「６」、エピソード番号「１」〜「６」を記録している。
【００７１】
なお、上記シリーズＩＤは、シリーズコンテンツデータが属する番組を特定するための情報であり、番組付帯情報において例えば、ｓｅｒｉｅｓ＿ｉｄ（シリーズＩＤ）の記述子により示されている。
【００７２】
また、上記エピソード番号は、シリーズコンテンツデータが第何回目の放送番組分であるかを示す情報であり、番組付帯情報において例えば、eｐｉｓｏｄｅ＿ｎｕｍｂｅｒ（エピソード番号）の記述子として示されている。
【００７３】
また、上記総エピソード数は、シリーズコンテンツデータの放送回数分の総計を示す情報であり、番組付帯情報において例えば、ｌａｓｔ＿ｅｐｉｓｏｄｅ＿ｎｕｍｂｅｒ（総エピソード数）の記述子として示されている。
【００７４】
上記番組名は、シリーズコンテンツデータとして放送局から配信される番組の名称を示す情報であり、番組付帯情報において例えば、ｓｅｒｉｅｓ＿ｎａｍｅ＿ｃｈａｒ（番組名）の記述子として示されている。
【００７５】
また、管理テーブル生成部１４は、コンテンツデータを記録媒体５に記録する際に後述する記録再生制御部１７からコンテンツデータの目次情報を受信し管理テーブル３０に対応づけて記録する。このように、管理テーブル生成部１４が、管理テーブル３０と目次情報とを対応付けて記録することにより、管理テーブル３０と記録媒体５に記録されたコンテンツデータとの対応関係をとることができる。
【００７６】
なお、上記目次情報とは、コンテンツデータが記録媒体５に録画済みであるか否か、すなわち出力処理等に利用可能であるか否かを示す情報である。例えば、この目次情報には、記録媒体５に記録される、コンテンツデータのファイル名、コンテンツデータの再生時間、コンテンツデータの属性を示す情報、または、番組付帯情報に基づき生成される管理テーブル３０とコンテンツデータとの対応関係を特定するための特定情報（ポインタ）などが含まれる。
【００７７】
このように管理テーブル生成部１４は、上記目次情報を記録再生制御部１７から受信することにより、該目次情報により特定されるコンテンツデータが記録媒体５に記録（録画）されたことを把握することができる。そこで、管理テーブル生成部１４は、上記目次情報を受信すると、該目次情報によって特定されるコンテンツデータの管理テーブル３０における録画ステータス（録画情報）を、録画済みを示すように更新する。
【００７８】
設定情報生成部１５は、ユーザから入力された情報に基づき、データ転送に関する情報である設定情報３１の登録を行うものである。登録した設定情報３１を設定情報記憶装置９に記憶する。なお、この設定情報３１とは、例えば、図３に示すように、データ転送方向、データ転送種別、データ転送時刻、ビットレート、シリーズ番組、およびシリーズ情報を含んでいる。
【００７９】
上記データ転送方向とは、シリーズコンテンツデータを転送する方向であり、例えば、図３に示すように「Ａ⇒Ｂ」で示される場合は、シリーズコンテンツデータを記録媒体Ａから記録媒体Ｂに転送することを示す。
【００８０】
また、本実施の形態に係る録画再生装置１では、設定情報３１においてデータ転送方向を、転送先と転送元とを併記して示す構成であったが、データ転送元の情報と、データ転送先の情報とを個別に示すとともに、両者の関連付けを行ってもよい。
【００８１】
データ転送種別とは、シリーズコンテンツデータそのものをコピーして転送先に送信するのか、一度デコーディングしたシリーズコンテンツデータを再エンコーディングして転送するのかを示す情報である。すなわち、前者は録画時の品質を保持したままシリーズコンテンツデータを、記録媒体５および記録媒体６の書き込み／読取ドライブの性能に応じた転送速度で転送することを示す情報である。一方、後者は、録画時の品質とは異なる品質に変更させてシリーズコンテンツデータを転送する、すなわち、転送するシリーズコンテンツデータの画質を調整することが可能であることを示す情報である。
【００８２】
データ転送時刻とは、シリーズコンテンツデータの転送指示に応じて、データ転送を開始する時刻を示す情報であり、シリーズコンテンツデータの転送指示に応じて、すぐに該シリーズコンテンツデータの転送を開始する（即時）のか、転送するタイミング（時間）を設定する（予約）のかを示す。したがって、図３に示すように「即時」と示される場合、シリーズコンテンツデータの転送指示に応じて、すぐにシリーズコンテンツデータの転送を開始することとなる。
【００８３】
なお、本実施の形態に係る録画再生装置１は、設定情報３１において、転送タイミングを設定し予約する場合、この予約時刻については、更に予約時刻を示す項目を設け、サブデータとして登録できる構成であることが好ましい。
【００８４】
上記ビットレートとは、転送するシリーズコンテンツデータのビットレートを示す情報である。具体的には、本実施の形態に係る録画再生装置１では、等速でシリーズコンテンツデータの転送を行う場合、転送先の記録媒体６の種類または、該記録媒体６へのデータの書き込み機構に応じて、ビットレートを変更できるように構成されている。また、上記録画再生装置１では、録画時にシリーズコンテンツデータを複数種類のビットレートで記録媒体５に記録しており、所望のビットレートのシリーズコンテンツデータを記録媒体６に転送するように選択できるようにも構成されている。
【００８５】
そこで、設定情報３１では、上記のように指定されたビットレートを、数値または文字列によって登録している。例えば、ビットレートを示す文字列として、レートが高い順に、ＸＰ、ＬＰ、ＥＰ、・・・などという標記が行われる。
【００８６】
シリーズ番組は、当該設定情報３１が対応付けられているコンテンツデータが、シリーズコンテンツデータであるか否かを示す情報である。ここで、上記コンテンツデータが、シリーズコンテンツデータである場合、続くシリーズ情報により、対応する管理テーブル３０と関連付けられる。例えば、図２では、転送するコンテンツデータがシリーズコンテンツデータである。このため、シリーズ情報において、シリーズコンテンツデータに関連する管理テーブル３０を識別するための情報として、Ｐ１が登録されている。
【００８７】
一方、コンテンツデータがシリーズコンテンツデータでない場合、続くシリーズ情報は、空となる。
【００８８】
また、上記設定情報生成部１５は、データ転送制御部１６からの、転送終了を示す情報に応じて、管理テーブル３０において、転送されたコンテンツデータに対応する転送ステータス（転送情報）を、転送済みを示すように更新するものでもある。
【００８９】
データ転送制御部１６は、コンテンツデータの記録媒体間転送を制御するものである。より具体的には、データ転送制御部１６は、記録媒体５に記録されたコンテンツデータを、記録媒体６に転送するように制御する。なお、このデータ転送制御部１６は、設定情報記憶装置９に記憶された設定情報３１を参照し、該設定情報３１に基づきデータ転送を制御する。
【００９０】
また、データ転送制御部１６は、コンテンツデータの転送が終了すると、該コンテンツデータに対応する管理テーブル３０における転送ステータスを、転送済みを示すように更新するよう設定情報生成部１５に指示するものでもある。
【００９１】
記録再生制御部１７は、番組付帯情報分離部１２から受信したコンテンツデータの、記録媒体５に対する、記録（書き込み）または／再生（読み出し）を制御するものである。また、記録再生制御部１７は、記録媒体６に記録されたコンテンツデータの再生（読み出し）を制御するものでもある。
【００９２】
なお、記録再生制御部１７は、例えばコンテンツデータをエンコードして圧縮し記録媒体５または記録媒体６に記録するエンコーダと、記録媒体５または記録媒体６に記録されたコンテンツデータを読み出し、出力処理可能な形式にデコードするデコーダとから構成される。
【００９３】
また、記録再生制御部１７は、記録媒体５または記録媒体６にコンテンツデータを録画（記録）する際、該コンテンツデータから目次情報を抽出する。そして、記録再生制御部１７は、抽出した目次情報を管理テーブル生成部１４に送信し、該コンテンツデータから分離させた番組付帯情報に基づき生成された管理テーブル３０と対応づけて記録するように指示させる。
【００９４】
また、記録再生制御部１７は、記録媒体５あるいは記録媒体６から読み出したコンテンツデータを出力処理部１８に送信させ、該コンテンツデータに基づく表示を行うように指示するものでもある。
【００９５】
出力処理部１８は、記録再生制御部１７から受信したコンテンツデータを表示部４に表示させるように制御するものである。また、出力処理部１８は、データ転送制御部１６からの指示に応じて、例えば、設定情報３１に関する項目の入力を促す情報を表示部４に表示させるように制御するものでもある。
【００９６】
なお、本実施の形態に係る録画再生装置１では、上記したように記録媒体５および記録媒体６を備えた構成であるため、記録媒体５を「Ａ」とし、記録媒体６を「Ｂ」とした場合、転送方向は「Ａ⇒Ｂ」または「Ｂ⇒Ａ」の２通りしかないこととなる。しかしながら、録画再生装置１が備える記録媒体の数はこれに限定されるものではなく、３つ以上備えられた構成であってもよい。さらには、図１に示す録画再生装置１の外部に接続されている機器に出力し該機器にコンテンツデータを転送することができる構成であってもよい。
【００９７】
具体的には、図１５に示すように図１に示す構成においてさらに、受信部２で受信したコンテンツデータ、または操作部３から入力されたユーザからの指示情報等を、システム制御部１１を介して外部記録媒体４０に出力できるようになっている。さらに、データ転送制御部１６によって記録媒体５に記録されたコンテンツデータを記録媒体６に転送するだけではなく、システム制御部１１を通じて外部記録媒体４０に転送できるようになっている。なお、図１５では図１と同一部材には同じ符号を付しその説明は省略する。
【００９８】
このような構成の場合、転送方向が多数存在することとなるが、本実施の形態に係る録画再生装置１では、管理テーブル３０に対応付けられた設定情報３１を記憶しているため、該設定情報３１を参照することにより、コンテンツデータを適切な転送先に転送させることができる。
【００９９】
また、本実施の形態に係る録画再生装置１では、管理テーブル３０と設定情報３１とを、個別に記憶させ、両者の関連付けを行う構成であるがこれに限定されるものではない。例えば、図４に示すように管理テーブル３０と設定情報３１とが１つのテーブルで構成され、管理テーブル生成部１４および設定情報生成部１５それぞれが、図３に示すテーブルの該当項目に情報を記録する構成としてもよい。なお、図４は、本実施の形態に係る録画再生装置１が保持する管理テーブル３０と設定情報３１との対応関係の一例を示す図である。
【０１００】
また、上記設定情報３１が含む項目は、以上のようにデータ転送方向、データ転送種別、データ転送時刻、ビットレート、シリーズ番組、およびシリーズ情報に限定されるものではない。例えば、チャプタ設定、タイトル名設定、ファイナライズ設定、音声／映像設定など、データ転送する際に設定可能な項目を詳細情報として追加してもよい。また、所定時間にデータ転送を開始させる場合、上記データ転送時刻において登録が必要なデータ転送開始時刻（予約時刻）をこの詳細情報に含めてもよい。
【０１０１】
また、本実施の形態に係る録画再生装置１は、受信したコンテンツデータを記録媒体５に録画する際に管理テーブル３０を生成する構成であったがこれに限定されるものではない。例えば、記録媒体５に受信したコンテンツデータを一旦記録した後に、該コンテンツデータから番組付帯情報を抽出し管理テーブル３０を生成する構成であってもよい。
【０１０２】
（転送処理）
次に、本実施の形態に係る録画再生装置１において実行される、コンテンツデータの「転送処理」について図５を参照して説明する。図５は、本実施の形態に係る録画再生装置１における転送処理の一例を示すフローチャートである。
【０１０３】
まず、ユーザからコンテンツデータの転送指示を操作部３が受け付ける。操作部３は、上記転送指示を、ユーザインタフェース部１３を介して、システム制御部１１に送信する。システム制御部１１は、上記転送指示を受信すると、データ転送制御部１６に対して、転送可能なコンテンツデータ、すなわち転送元の記録媒体５に記録されているコンテンツデータを選択させるよう促すように指示する。この指示に応じてデータ転送制御部１６は、管理テーブル記憶装置８を参照して、記録媒体５に記録されているコンテンツデータを読み出し、出力処理部１８を通じて表示部４に該番組名を表示しユーザからの選択を待ち受ける。
【０１０４】
転送するコンテンツデータの選択を促す表示としては、例えば、図１１に示すように、記録媒体５に記録している番組名を表示させ、同一番組名に属するシリーズコンテンツデータ全てをまとめて１件として表示させる（図１１では番組シリーズ１〜番組シリーズ３）。一方、シリーズコンテンツデータではないコンテンツデータについては、各コンテンツデータごとに１件として表示する（図１１ではコンテンツ１〜コンテンツ５）。なお、この図１１は、本実施の形態に係る録画再生装置１における、転送するコンテンツデータの選択を促す表示の一例を示す図である。
【０１０５】
このように番組名が表示部４に表示されると、この表示に応じてユーザが転送を所望するコンテンツデータを選択し、操作部３を操作して選択結果を入力する（ステップＳ１１、これ以降Ｓ１１というふうに称する）。操作部３は、ユーザにより選択された、転送が所望されるコンテンツデータの番組名を受け付けると、ユーザインタフェース部１３を通じてシステム制御部１１に送信する。システム制御部１１は、転送が所望されるコンテンツデータの番組名を受信すると、該番組名に関する情報をデータ転送制御部１６に送信し、該番組名に対応するコンテンツデータの転送を指示する。
【０１０６】
システム制御部１１からの指示に応じて、データ転送制御部１６は、管理テーブル３０を参照して上記番組名に対応するコンテンツデータがシリーズコンテンツデータであるか否かを判定する（Ｓ１２）。すなわち、システム制御部１１は、上記番組名を含む管理テーブル３０を管理テーブル記憶装置８において探索する。そして、上記番組名を含む管理テーブル３０を見出すと、データ転送制御部１６が、該管理テーブル３０に記録されているシリーズＩＤを参照して、転送が所望されているコンテンツデータがシリーズコンテンツデータであるか否かを判定する。
【０１０７】
上記ステップＳ１２における判定において、ＮＯの場合、データ転送制御部１６は、記録媒体５から記録媒体６への転送について初期状態（デフォルト）で設定されている転送条件にしたがってデータ転送を行う（Ｓ１９）。
【０１０８】
一方、上記ステップＳ１２における判定において、ＹＥＳの場合、データ転送制御部１６は、ユーザにより選択された番組名を含む管理テーブル３０に関連付けられている設定情報３１を検索する（Ｓ１３）。そして、データ転送制御部１６は、この検索の結果、上記設定情報３１が存在するか否か判定する（Ｓ１４）。なお、設定情報３１が存在しない場合とは、例えば、転送が所望されるシリーズコンテンツデータと同一番組のシリーズであると分類される他のシリーズコンテンツデータが、一度も転送されておらず、設定情報３１が作成されていない場合などである。
【０１０９】
ステップＳ１４において「ＹＥＳ」場合、検索された設定情報３１に応じて、シリーズコンテンツデータを記録媒体５から記録媒体６に転送させるか否かを判定する（Ｓ１５）。すなわち、データ転送制御部１６は、この検索された設定情報３１に応じて、シリーズコンテンツデータを転送させるか否かを問い合わせる旨についての表示を行うように、出力処理部１８に指示する。出力処理部１８は、データ転送制御部１６からの指示に応じて、上記設定情報３１に応じて、シリーズコンテンツデータを転送させるか否かを問い合わせる旨の表示を行う。
【０１１０】
ここで、この表示に応じてユーザが、シリーズコンテンツデータを上記設定情報３１に基づき転送させる旨を指示する情報を操作部３が受け付けると（Ｓ１５において「ＹＥＳ」）、この受け付けた指示を示す情報を、ユーザインタフェース部１３を通じてシステム制御部１１に送信する。システム制御部１１は、ユーザからの上記指示情報を受信すると、データ転送制御部１６に対して、ステップＳ１３において検索した設定情報３１に基づき、ユーザによって選択されたシリーズコンテンツデータを転送するように指示する。
【０１１１】
このシステム制御部１１からの指示に応じて、データ転送制御部１６は、ステップＳ１３において検索した設定情報３１を設定情報記憶装置９から読み出す（Ｓ１６）。
【０１１２】
一方、ステップＳ１４またはステップＳ１５において「ＮＯ」の場合、すなわち、ユーザにより転送が所望されているシリーズコンテンツデータに関する設定情報３１が無い場合、あるいは該設定情報３１の使用をユーザが所望しない場合、データ転送制御部１６は、この転送が所望されているシリーズコンテンツデータの転送処理に関する設定情報３１の登録を促す旨表示を行うように出力処理部１８に指示する。
【０１１３】
出力処理部１８は、この指示に応じて、表示部４に、転送が所望されているシリーズコンテンツデータの転送処理に関する設定情報３１を入力する旨の表示を行う。この表示部４における表示としては、例えば、図６に示すように、設定情報３１として登録が必要となる各項目について順に表示させ、ユーザに設定情報３１の入力を促し設定情報３１の登録を行う（Ｓ２１）。
【０１１４】
すなわち、図６に示すように、転送元および転送先の決定に関する表示を行い、続いて、転送種別、転送時間の登録に関する表示、また転送を開始する時刻の設定を促す表示など、設定情報３１として登録する各項目ごとの入力が可能となるように表示する。この図６は、本実施の形態に係る録画再生装置１における、設定情報３１の入力画面の一例を示す図である。この図における矢印は、表示部４にて表示される画面の遷移を示す。
【０１１５】
なお、ユーザに設定情報３１の入力を促す表示は上記した図６に示す表示に限定されるものではなく、例えば、図１３に示すように、設定情報３１の各項目を選択できるように表示され、選択された項目についての設定がグラフィカルに行うことができるものであってもよい。
【０１１６】
このように表示部４における表示に応じてユーザにより設定情報３１の各項目に関する情報が入力されると、該情報を操作部３が受け付け、ユーザインタフェース部１３を通じてシステム制御部１１に送信する。そして、システム制御部１１は、この設定情報３１の各項目に関する情報を設定情報生成部１５に送信し、設定情報３１として設定情報記憶装置９に保存するように指示する。このシステム制御部１１からの指示に応じて、設定情報生成部１５は、ユーザにより入力された情報に基づき、転送が所望されているコンテンツデータの設定情報３１を作成し設定情報記憶装置９に保存する（Ｓ２２）。
【０１１７】
なお、本実施の形態に係る録画再生装置１は、ステップＳ２２において、設定情報３１に関する情報が入力されると、図７に示すように入力された情報を設定情報生成部１５が出力処理部１８を制御して表示部４に表示させる。そして、ユーザの確認を取った上で、設定情報３１の保存を行うように構成されている。図７は、本実施の形態に係る録画再生装置１における、入力した設定情報を確認するための画面の一例を示す図である。
【０１１８】
このように、転送が所望されるシリーズコンテンツデータに関する設定情報３１の保存が完了すると、設定情報生成部１５がデータ転送制御部１６に該設定情報３１の保存完了した旨を示す情報を送信する。この情報に応じてデータ転送制御部１６は、設定情報記憶装置９から、この保存された上記設定情報３１を読み出す（Ｓ１６）。
【０１１９】
ステップＳ１６において設定情報３１を読み出すと、データ転送制御部１６は、該設定情報３１に基づき、記録媒体５に記録されているシリーズコンテンツデータを記録媒体６に転送する（Ｓ１７）。
【０１２０】
シリーズコンテンツデータの転送が終了すると、データ転送制御部１６は、設定情報生成部１５に指示して、転送したシリーズコンテンツデータに対応する管理テーブル３０における転送ステータスが、転送済みである旨を示すように更新するよう指示する。設定情報生成部１５は、データ転送制御部１６からの指示に応じて、読み出した設定情報３１と関連付けた管理テーブル３０の転送ステータスを転送済みに書き換え更新する。以上のようにして、本実施の形態に係る録画再生装置１は、コンテンツデータ（シリーズコンテンツデータ）の転送処理を終了する。
【０１２１】
なお、上記した転送するコンテテンツの選択を促す表示は、図１１に示される表示に限定されるものではなく、例えば、図１２に示すように、データ転送に関する設定情報３１の一覧を表示したものであってもよい。このように、設定情報３１を基準に転送するコンテンツデータを選択する構成であってもよい。
【０１２２】
なお、ステップＳ１２において、データ転送制御部１６は、管理テーブル３０に記録されているシリーズＩＤを参照して、転送が所望されるコンテンツデータがシリーズコンテンツデータであるか否かを判定する構成であったが、判定する条件はこれに限定されるものではない。例えば、ユーザにより選択された番組名を含む管理テーブル３０に関連付けられている設定情報３１に含まれるシリーズ番組の項目を参照して判定する構成であってもよい。
【０１２３】
このように、設定情報３１に含まれる項目を参照して転送が所望されるコンテンツデータがシリーズコンテンツデータであるか否を判定する構成の場合、図５に示すステップＳ１６の後にステップＳ１２の処理が行われることとなる。
【０１２４】
また、本実施の形態に係る録画再生装置１では、設定情報３１をシリーズコンテンツデータについてのみ設定情報記憶装置９に記憶させる構成であるが、シリーズコンテンツデータではない、コンテンツデータに関しても設定情報３１が設定情報記憶装置９に記憶されている構成であってもよい。このように構成される場合、ステップＳ１９では、ステップＳ１４〜Ｓ１７、およびステップＳ２１、Ｓ２２と同様の処理が行われる構成であってもよい。
【０１２５】
なお、本実施の形態に係る録画再生装置１では、上記した「転送処理」において、設定情報３１の登録を行う場合、ユーザにより入力された情報に基づき該設定情報３１の登録が行われる構成であった。しかしながら、これに限定されるものではなく、例えば、設定情報生成部１５が、通常転送時にユーザが行った転送設定を参照して自動的に設定情報３１を作成し、設定情報記憶装置９に記憶させる構成であってもよい。
【０１２６】
また、本実施の形態に係る録画再生装置１は、設定情報３１の保存をユーザに一度確認させる構成であったが、録画再生装置１の構成は、これに限定されるものではなくユーザへの確認を省略して、入力された情報を設定情報３１として設定情報生成部１５が自動的に保存する構成であってもよい。
【０１２７】
このように、シリーズコンテンツデータを転送する際、以前に同一番組のシリーズとして分類されるシリーズコンテンツデータが転送されている場合、以前の転送にて作成した設定情報を利用して適切に、転送が所望されるシリーズコンテンツデータを転送させることができる。
【０１２８】
また、転送が所望されるシリーズコンテンツデータに対応する設定情報３１が存在しない場合であっても、該設定情報３１を生成することができるため、同一番組のシリーズとして分類される別のシリーズコンテンツデータを転送する際、この設定情報３１を参照して転送を行うことができる。
【０１２９】
また、転送処理が完了したシリーズコンテンツデータに対して転送済みを示すように転送ステータスを更新することができるため、記録媒体５においてシリーズコンテンツデータのうち記録媒体６に転送済みであるシリーズコンテンツデータを容易に把握することができる。このように、上記録画再生装置１では、管理テーブル３０を参照することにより録画されたコンテンツデータが他の記録媒体に転送済みであるのか等管理に関連する情報を容易に取得することができるため、シリーズコンテンツデータの管理を容易とすることができる。
【０１３０】
上記した「転送処理」では、受信して記録媒体５に録画しているシリーズコンテンツデータの１つを記録媒体６に転送する場合について説明した。そこで、次に同一番組のシリーズとして分類されるシリーズコンテンツデータすべてをまとめて転送する場合（以下「シリーズ転送」と称する）について図８を参照して以下に説明する。なお、図８は、本実施の形態に係る録画再生装置１において、同一番組のシリーズとして分類されるシリーズコンテンツデータすべてをまとめて転送する場合の処理を示すフローチャートである。
【０１３１】
（シリーズ転送処理）
まず、上記した「転送処理」と同様にして、操作部３が受け付けた、ユーザからのコンテンツデータの転送指示に応じて記録媒体５に記録されているコンテンツデータの番組名を表示部４に表示しユーザからの番組名の選択を待ち受ける。そして、ユーザにより選択された、転送を所望するコンテンツデータの番組名を受け付ける（Ｓ３１）。そして、ステップＳ１２と同様にして、録画再生装置１では、データ転送制御部１６が、ユーザにより選択された番組名のコンテンツデータがシリーズコンテンツデータか否かを判定する（Ｓ３２）。このステップＳ３２の判定において「ＮＯ」の場合、ステップＳ１９と同様にして転送が所望されるコンテンツデータを通常のデータ転送により転送して（Ｓ４０）、転送処理を終了する。
【０１３２】
一方、ステップＳ３２の判定において「ＹＥＳ」の場合、データ転送制御部１６は、シリーズ転送するか否かを問い合わせる表示を行うように出力処理部１８に指示する。出力処理部１８は、データ転送制御部１６からの指示に応じて、表示部４にシリーズ転送するか否かを問い合わせる表示を行う（Ｓ３３）。この表示において、ユーザが、操作部３を操作してシリーズ転送を指示しなかった場合（Ｓ３３において「ＹＥＳ」）、（Ａ）に進み、図５におけるステップＳ１３以降の処理を実行する。
【０１３３】
一方、この表示に応じて、ユーザが、操作部３を操作してシリーズ転送を指示した場合（Ｓ３３において「ＹＥＳ」）、該指示は操作部３からユーザインタフェース部１３を通じてシステム制御部１１に送信される。システム制御部１１は、シリーズ転送する旨を示す指示情報を受信すると、データ転送制御部１６に対して、ユーザが選択した番組名のシリーズコンテンツデータをシリーズ転送させるように指示する。
【０１３４】
データ転送制御部１６は、システム制御部１１からの指示に応じて、ユーザが転送を所望する番組名に対応する管理テーブル３０を検索し、該管理テーブル３０を参照して、同一番組名のシリーズコンテンツデータが複数存在するか否か検索する。すなわち、シリーズＩＤが一致する、他のコンテンツデータの存在の有無を検索する（Ｓ３４）。
【０１３５】
ステップＳ３４における検索の結果、シリーズＩＤが一致する、他のコンテンツデータが存在する場合（Ｓ３５において「ＹＥＳ」）、データ転送制御部１６は、検索した上記管理テーブル３０における総エピソード数と、管理テーブル３０に登録されているエピソード番号とを参照して、記録媒体５に録画されていないシリーズコンテンツデータが存在するか否か、すなわちエピソード番号に欠番があるか否かを判定する（Ｓ３６）。
【０１３６】
ステップＳ３６において「ＮＯ」の場合、データ転送制御部１６は、ユーザが転送を所望するシリーズコンテンツデータの設定情報３１の有無を確認する（Ｓ３７）。すなわち、データ転送制御部１６は、上記管理テーブル３０に関連付けられた設定情報３１が存在するか否かを判定する。
【０１３７】
一方、ステップ３５において「ＮＯ」、ならびにステップＳ３６において「ＹＥＳ」の場合、ユーザが転送を所望する番組名のシリーズコンテンツデータに関して、記録媒体５に存在しているコンテンツデータのみを転送するか否か問い合わせる（Ｓ４１）。すなわち、データ転送制御部１６は、出力処理部１８に対して、ユーザが転送を所望する番組名のシリーズコンテンツデータに関して、記録媒体５に存在しているコンテンツデータのみを転送するか否か問い合わせる旨の表示を表示部４に行わせる。
【０１３８】
そして、この表示に応じて、ユーザが、記録媒体５に存在しているコンテンツデータのみを転送する旨、操作部３を操作して指示した場合（Ｓ４１において「ＹＥＳ」）、該指示を、ユーザインタフェース部１３を通じてシステム制御部１１が受信する。そして、システム制御部１１は、この指示を受信すると、データ転送制御部１６に対して、転送を所望する番組名のシリーズコンテンツデータに対応する設定情報３１の有無を確認する旨指示する。このシステム制御部１１からの指示に応じて、データ転送制御部１６は、ユーザが転送を所望するシリーズコンテンツデータの設定情報３１の有無を確認する（Ｓ３７）。
【０１３９】
一方、記録媒体５に存在しているコンテンツデータのみの転送を行わない場合（Ｓ４１において「ＮＯ」）、録画再生装置１は転送処理を終了する。
【０１４０】
ステップＳ３７において、設定情報３１が存在する場合（「ＹＥＳ」の場合）、データ転送制御部１６は、上記設定情報３１を読み出し（Ｓ３８）、該設定情報３１に基づきシリーズコンテンツデータをシリーズ転送する（Ｓ３９）。
【０１４１】
一方、設定情報３１が存在しない場合（ステップＳ３７において「ＮＯ」の場合）、ユーザに設定情報３１の各項目の入力を促し、該入力に応じて設定情報生成部１５が設定情報記憶装置９に該設定情報３１の登録を行う（Ｓ４２）。そして、録画再生装置１では、設定情報生成部１５が、ユーザから入力さらた情報に基づき生成された設定情報３１を、設定情報記憶装置９に記憶する（Ｓ４３）。
【０１４２】
このようにして、設定情報３１の登録が終了すると、この登録された設定情報３１をデータ転送制御部１６が読み出す（Ｓ３８）。そして、この読み出した設定情報３１と該設定情報３１に対応する管理テーブル３０とに基づき、シリーズコンテンツデータをシリーズ転送する（Ｓ３９）。
【０１４３】
すなわち、データ転送制御部１６は、転送が所望される番組名、つまりシリーズＩＤが一致するシリーズコンテンツデータそれぞれを、設定情報３１に応じた条件で順次転送を行う。なお、データ転送制御部１６は、転送するシリーズコンテンツデータの転送順は管理テーブル３０のエピソード番号を参照して該エピソード番号が小さい順に行う。
【０１４４】
以上のようにシリーズ転送が終了すると、同一番組として分類されるシリーズコンテンツデータそれぞれの転送ステータスを転送済みとし更新する（Ｓ４４）。すなわち、データ転送制御部１６は、同一シリーズＩＤを有するシリーズコンテンツデータそれぞれを転送するたびに、管理テーブル３０を参照して該転送したシリーズコンテンツデータのエピソード番号を設定情報生成部１５に通知する。この通知に応じて、設定情報生成部１５は、転送済みとなったシリーズコンテンツデータのエピソード番号に対応する転送ステータスを転送済みとして更新する。
【０１４５】
なお、上記ステップＳ３７〜ステップＳ３９、Ｓ４４、およびステップＳ４２、ステップＳ４３それぞれは、ステップＳ１４、Ｓ１６〜Ｓ１８、およびステップＳ２１、Ｓ２２それぞれと同様な処理であるため詳細な説明は省略する。
【０１４６】
なお、上記ステップＳ３４における検索処理、およびステップＳ３６における判定処理
は、データ転送制御部１６が、管理テーブル３０を参照して行う構成であるが、これに限定されるものではない。例えば、記録媒体等に記録されているコンテンツデータを直接読み出し、該コンテンツデータからシリーズ情報を取得し、上記した検索および判定処理を行ってもよい。
【０１４７】
また、上記したシリーズ転送処理では、このステップＳ３７において、転送が所望されるシリーズコンテンツデータに関する設定情報３１の有無を、該シリーズコンテンツデータに関する管理テーブル３０を参照して判定する構成であった。しかしながら、これに限定されるものではなく、データ転送制御部１６が、ユーザが転送を所望するコンテンツデータの番組名を含む設定情報３１を設定情報記憶装置９において検索する構成であってもよい。
【０１４８】
また、上記したシリーズ転送処理では、ステップＳ３７の後、ステップ３８において設定情報を読み出していたが、ステップＳ３７の後、ステップ３８の処理を行う前に、上記「転送処理」のステップＳ１５と同様に、設定情報３１を使用するか否かを確認してもよい。
【０１４９】
また、本実施の形態に係る録画再生装置１では、シリーズ転送処理を行う際、エピソード番号が低い順に転送するように構成されていたがこれに限定されるものではなく、エピソード番号が大きい順であってもよいし、ランダムにエピソード番号が選択され、シリーズ転送されてもよい。
【０１５０】
なお、各シリーズコンテンツデータを転送する際に、転送が所望される番組名に対応するシリーズＩＤの各シリーズコンテンツデータが転送済みであるか否かを図９に示すように明示的に表示できるように構成されていることが好ましい。このような転送済みであるか否かを明示的に表示する構成は、下記のようにして実現することができる。すなわち、ステップＳ４０により転送ステータスを転送済みとして更新すると、この更新後における転送が所望されるシリーズＩＤのコンテンツデータそれぞれの転送ステータスを出力処理部１８が読み出す。そして、この読み出した転送ステータスに基づき、表示部４にシリーズコンテンツデータのうちどのシリーズコンテンツデータが転送済みであるか等を表示させる。
【０１５１】
なお、この図９に示すような表示のタイミングは、シリーズコンテンツデータの転送中に行われてもよいし、転送処理されていない間に行われてもよい。すなわち、各シリーズコンテンツデータが転送済みであるか否かについての情報の表示が求められる適切なタイミングで行われることが好ましい。
【０１５２】
次に、本実施の形態に係る録画再生装置１において、既に管理テーブル３０を生成している番組のコンテンツデータを録画する場合ある。なお、既に管理テーブル３０を生成している番組のコンテンツデータとは、同じシリーズＩＤを有する、既に記録媒体５に記録されているコンテンツデータとは別のコンテンツデータであってもよいし、同じコンテンツデータであってもよい。
【０１５３】
このように、管理テーブル３０を生成しているコンテンツデータと同じシリーズＩＤを有するコンテンツデータを録画する場合について、図１０を参照して説明する。図１０は、本実施の形態に係る録画再生装置１における、管理テーブル３０の登録およびコンテンツデータの録画処理の一例を示すフローチャートである。
【０１５４】
まず、操作部３を操作してユーザにより、放送局から配信されるコンテンツデータを録画する旨の指示が入力されると、該指示に応じて、録画が所望されるコンテンツデータを受信できるように受信部２にて設定がなされる。このようにして受信部２が、ユーザが所望するコンテンツデータを受信するとシステム制御部１１に送信する。
【０１５５】
システム制御部１１は、録画が所望されるコンテンツデータを受信部２から受信すると、番組付帯情報分離部１２に該コンテンツデータを送信する。なお、この受信したコンテンツデータには、上述したように番組付帯情報が多重化されている。そこで、番組付帯情報分離部１２は、受信したコンテンツデータから番組付帯情報を分離させ、管理テーブル生成部１４に送信して管理テーブル３０を生成するように指示する。一方、番組付帯情報分離部１２は、番組付帯情報が分離されたコンテンツデータを、記録再生制御部１７に送信する。
【０１５６】
このように記録再生制御部１７は、コンテンツデータを受信すると、該受信したコンテンツデータの記録媒体５への記録（録画）を開始する（Ｓ５１）。また、このようにコンテンツデータを記録媒体５に記録する際、記録再生制御部１７は、該コンテンツデータの目次情報を管理テーブル生成部１４に送信する。
【０１５７】
一方、管理テーブル生成部１４は、番組付帯情報分離部１２から番組付帯情報を受信すると、管理テーブル記憶装置８に管理テーブルが存在するか否かを確認する（Ｓ５２）。
【０１５８】
ここで、上記管理テーブル３０が存在しないと判定した場合は（Ｓ５３において「ＮＯ」）、管理テーブル生成部１４は、受信したコンテンツデータから分離した番組付帯情報に含まれるコンテンツ情報に基づき、管理テーブル３０を生成する一方、記録再生制御部１７は、該コンテンツデータを記録媒体５に記録（録画）する。
【０１５９】
一方、上記管理テーブル３０が存在すると判定した場合（Ｓ５２において「ＹＥＳ」）、管理テーブル生成部１４は、管理テーブル３０を読み出し（Ｓ５３）、該管理テーブル３０に記録されているシリーズＩＤと、番組付帯情報に含まれるコンテンツ情報の中のシリーズＩＤとが一致するか否か判定する（Ｓ５４）。すなわち、受信したコンテンツデータに対応する管理テーブル３０が存在するか否か、シリーズＩＤをキーに検索する。
【０１６０】
ここで、読み出した管理テーブル３０に含まれるシリーズＩＤと、番組付帯情報に含まれるコンテンツ情報の中のシリーズＩＤとが一致しない場合（Ｓ５４において「ＮＯ」）、管理テーブル記憶装置８に別の管理テーブル３０があるか確認する（Ｓ５７）。
【０１６１】
ステップＳ５７において、別の管理テーブル３０が存在すると判定した場合（Ｓ５７において「ＹＥＳ」）、管理テーブル生成部１４は、ステップＳ５３およびステップＳ５４を繰り返し、管理テーブル記憶装置８においてシリーズＩＤが一致する管理テーブル３０の検索を行う。
【０１６２】
ここで、シリーズＩＤが一致する管理テーブル３０が管理テーブル記憶装置８になかった場合（ステップＳ５７において「ＮＯ」）、管理テーブル生成部１４は、受信したコンテンツデータから分離した番組付帯情報に含まれるコンテンツ情報に基づき、管理テーブル３０を生成する一方、記録再生制御部１７は、該コンテンツデータを記録媒体５に記録（録画）する（Ｓ５６）。
【０１６３】
一方、シリーズＩＤが一致する管理テーブル３０が存在する場合（Ｓ５４において「ＹＥＳ」）、管理テーブル生成部１４は、シリーズＩＤが一致する管理テーブル３０を、番組付帯情報に含まれコンテンツ情報から生成した管理テーブル３０に更新する（Ｓ５５）。そして、受信したコンテンツデータを記録媒体５に記録（録画）する（Ｓ５６）。
【０１６４】
なお、本実施の形態に係る録画再生装置１では、管理テーブル３０の登録および更新を、コンテンツデータの録画開始時に行う構成であるが、管理テーブル３０の登録および更新のタイミンはこれに限定されるものではない。例えば、コンテンツデータの録画終了時に行われてもよく、また別のタイミングで行ってもかまわない。すなわち、管理テーブル３０の登録および更新のタイミンは、コンテンツデータの録画を開始する時点から、録画されたコンテンツデータに関する管理テーブル３０を必要とする時点までの間であればよい。
【０１６５】
なお、本実施の形態に係る録画再生装置１では、設定情報３１に基づき、コンテンツデータ（シリーズコンテンツデータ）の転送を行うように構成されていた。そして、もし、転送が所望されるコンテンツデータの設定情報３１が存在しない場合、ユーザからの入力情報に応じて設定情報３１を生成するように構成されていた。
【０１６６】
また、本実施の形態に係る録画再生装置１では、記録媒体５に記録されている各番組名またはコンテンツデータについて設定されている設定情報３１を表示部４において表示できる構成であってもよい。具体的には、表示部４において、図１４に示すように、記録媒体５に記録されている各番組名またはコンテンツデータを示す一覧を表示し、この一覧の中からユーザが例えばコンテンツデータ５を選択すると、該コンテンツデータ５の転送に設定されている設定情報を表示させる。
【０１６７】
また、本実施の形態に係る録画再生装置１では、記録再生制御部１７によりコンテンツデータが記録媒体５に記録された場合、管理テーブル生成部１４は、目次情報を受信することにより、該目次情報により特定されるコンテンツデータが記録媒体５に記録（録画）されたことを把握することができる構成であった。そして、テーブル生成部１４は、上記目次情報を受信すると、該目次情報によって特定されるコンテンツデータの管理テーブル３０における録画ステータスを、録画済みを示すように更新する構成であった。
【０１６８】
そこで、このように録画ステータスが録画済みを示すように更新された場合、データ転送制御部１６は、この録画ステータスに対応するコンテンツデータを記録媒体５から読み出し、自動的に記録媒体６に転送するように構成されていてもよい。
【０１６９】
最後に、録画再生装置１の各ブロック、特に主制御部７は、ハードウェアロジックによって構成してもよいし、次のようにＣＰＵを用いてソフトウェアによって実現してもよい。
【０１７０】
すなわち、録画再生装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである録画再生装置１の制御プログラムのプログラムコード（実行形式プログラム、中間コードプログラム、ソースプログラム）をコンピュータで読み取り可能に記録した記録媒体を、上記録画再生装置１に供給し、そのコンピュータ（またはＣＰＵやＭＰＵ）が記録媒体に記録されているプログラムコードを読み出し実行することによっても、達成可能である。
【０１７１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７２】
また、録画再生装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１７３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１７４】
本実施の形態に係る録画再生装置１は、シリーズコンテンツデータが属する番組に応じて、コンテンツデータの設定情報３１を設定する設定情報生成部１５を備えており、シリーズコンテンツデータを、番組ごとに管理し転送させることができる。このため、同一のコンテンツデータ群に属するコンテンツデータをそれぞれ転送する必要がある場合に、幅広く適用できる。
【図面の簡単な説明】
【０１７５】
【図１】本発明の実施形態を示すものであり、録画再生装置の要部構成を示すブロック図である。
【図２】本発明の実施形態を示すものであり、録画再生装置の概略構成を示すブロック図である。
【図３】本実施の形態に係る録画再生装置が保持する管理テーブルおよび設定情報の対応関係の一例を示す図である。
【図４】本実施の形態に係る録画再生装置が保持する管理テーブルと設定情報との対応関係の一例を示す図である。
【図５】本実施の形態に係る録画再生装置における転送処理の一例を示すフローチャートである。
【図６】本実施の形態に係る録画再生装置における、設定情報の入力画面の一例を示す図である。
【図７】本実施の形態に係る録画再生装置における、入力した設定情報を確認するための画面の一例を示す図である。
【図８】本実施の形態に係る録画再生装置において、同一番組のシリーズとして分類されるシリーズコンテンツデータすべてをまとめて転送する場合の処理を示すフローチャートである。
【図９】本実施の形態に係る録画再生装置における、転送が所望される番組名の各シリーズコンテンツデータが転送済みであるか否かを示す表示の一例を示す図である。
【図１０】本実施の形態に係る録画再生装置における、管理テーブルの登録およびコンテンツデータの録画処理の一例を示すフローチャートである。
【図１１】本実施の形態に係る録画再生装置における、転送するコンテンツデータの選択を促す表示の一例を示す図である。
【図１２】本実施の形態に係る録画再生装置における、転送するコンテンツデータの選択を促す別の表示の一例を示す図である。
【図１３】本実施の形態に係る録画再生装置における、設定情報の入力画面の別の一例を示す図である。
【図１４】本実施の形態に係る録画再生装置における、記録媒体に記録されている各番組名またはコンテンツデータについて設定されている設定情報を表示する表示画面の一例を示す図である。
【図１５】本発明の別の実施形態を示すものであり、録画再生装置の要部構成を示すブロック図である。
【符号の説明】
【０１７６】
１    録画再生装置（転送管理装置）
２    受信部（受け付け部）
３    操作部
４    表示部（出力手段）
５    記録媒体（コンテンツデータ記憶装置）
６    記録媒体
７    主制御部
８  管理テーブル記憶装置
９  設定情報記憶装置（転送条件記憶装置）
１５  設定情報生成部（転送条件設定手段・転送情報更新手段・録画情報更新手段）
１６  データ転送制御部（転送手段）
１７  記録再生制御部
１８  出力処理部（出力手段）
３０  管理テーブル（テーブル情報）
３１  設定情報（転送条件）
【図１】
2008071386.tif 000003
【図２】
2008071386.tif 000004
【図３】
2008071386.tif 000005
【図４】
2008071386.tif 000006
【図５】
2008071386.tif 000007
【図６】
2008071386.tif 000008
【図７】
2008071386.tif 000009
【図８】
2008071386.tif 000010
【図９】
2008071386.tif 000011
【図１０】
2008071386.tif 000012
【図１１】
2008071386.tif 000013
【図１２】
2008071386.tif 000014
【図１３】
2008071386.tif 000015
【図１４】
2008071386.tif 000016
【図１５】
2008071386.tif 000017